(57)【要約】【課題】  スーパーマーケットなどに使用される棚板の強度補強を簡単な部材で、かつ、溶接処理をすることなく実現する。【解決手段】  鉄板製の棚板において、その前後端縁部をコの字形に折り曲げ、そのコの字形により囲われた部分に、横断面がＵの字形でその一端を直角方向に曲げて延伸させた断面柄杓形状になる補強部材を挿着して前記のＵの字形の１端面を棚板正面板の裏面に当接させ、他方の延伸部端縁を天板裏面に突設した突起に係合させる、また、その係合を解くことによって脱着できる構造とした。したがって、店舗側において展示する商品の重量に応じて補強を着脱することが容易になった。【選択図】      図１
2005034463.tif 000002
【特許請求の範囲】
【請求項１】
素材である金属板の少なくとも前後側の端縁をほぼ９０度に２度折り曲げて第１のコの字形部（２）を形成し、さらに９０度折り曲げを２回行って該棚板（１０）の前後縁辺に立壁（３ａ）を形成して前記第１のコの字形部（２）の末端縁（２ａ）表面を天板（１）の裏面に対向させて第二のコの字形部（３）を形成するとともに、その天板の所要箇所に裏面側へ突出する係止突起（５）を複数個形成し、一方、Ｕ字形（６ａ，６ｂ，６ｃ）に曲折しその一端側縁辺（６ｃ）を外方ほぼ直角に曲折して延伸部（６ｄ）とした断面柄杓形の金属製補強部材（６）を、前記棚板の前後縁辺部第一のコの字形部（２）と天板１とで形成する隙間に挿入してその前側立面（６ａ）を棚板（１０）の前後側縁辺の立ち上がり壁（３ａ）裏面に当接させ、他方の延伸部（６ｄ）の末端縁を前記係止突起（５）に係合させたことを特徴とする棚板の補強構造。
【請求項２】
棚板の前後側辺コの字形立縁部（３）内に断面柄杓形補強部材（６）を着脱自在としたことを特徴とする請求項一記載の棚板。
【発明の詳細な説明】
【技術分野】
【０００１】
本発明は、商品などを陳列するための金属製陳列棚における補強構造に関する。
【背景技術】
【０００２】
スーパーマーケットなどで使用されている陳列棚は、見通しがよく、且つ、商品の出し入れの容易性が求められることから、棚受け用ブラケットの数をできるだけ少なくするのが通例で、たとえば、１８０ｃｍ幅の金属製棚板についてその両短辺のみをブラケットで支持していることが多い。しかも、商品の積載量は可能な限り多くしたいことから、棚板は中央部分が下方に歪んでいることがしばしばで、その対策として棚板の裏面にＵ字形の補強材（図６、７の４）が溶接されるのが通例である。
【０００３】
しかし、このようなＵ字形の補強材４は、棚板の前後方向に対し、その中間位置長手方向に溶接により取り付けられるのが通例であって、棚板の前端または後端縁部の補強にはその棚板材を、１）コの字形に折り曲げたもの（図６の符号１１）、２）そのコの字形の内部にＺ形に折り曲げた補強鉄板（図６の符号１２）を挿通して溶接したもの、または、３）前記の棚板のコの字形の折り曲げ部をさらに折り曲げてこの部分を角筒状とし、その末端を逆方向に曲げてその末端部分を天板の裏面に溶接（図７の１符号３）するものなどがある。さらに、Ｕ字形補強部材４を棚板裏面にスポット溶接するのが通例である（図６、図７の符号４）。
【特許文献１】特開平１１−０５６５５０号公報（図２）
【発明の開示】
【発明が解決しようとする課題】
【０００４】
前記のような棚板の補強、すなわち前記１）では補強効果が少なく、２）３）では溶接工程を追加する必要があり、その作業工賃により製造コストを上昇させることになった。また軽量物の積載に際してはこの補強は過剰品質となることもあり、むしろ、補強部材の着脱が可能な棚板の補強構造が求められているのである。
【課題を解決するための手段】
【０００５】
上記の課題を解決するために本発明は、四縁辺または前後縁辺をコ字形に折り曲げた金属板製棚板において、そのコ字形に折り曲げ部の末端縁、すなわち、天板と対向している縁を天板側にさらにほぼ９０度で２回曲折させて第二のコの字形部を形成し、断面柄杓形になる金属板製補強部材をこの第二のコの字形部と天板との間に挿入し、この補強部材を前記棚板の立ち上がり壁面の裏面と天板裏面の突起およびコの字形曲折部末端縁の曲折部における反発弾性により保持させる構成としたものである。
【発明の効果】
【０００６】
このように、金属板製補強部材は前記の第二コの字形部と天板との間に挿入することによって簡単に棚板取り付けられ、また取り外しができることになったので、スーパーマーケットなどの商品展示現場で積載物の重量変化に素早く対応することができ、ひずみのない棚板として使用できるものとなった。図５には片持ちタイプのブラケットに載置する比較的軽量の陳列台を示したが、重量用四本柱の保管棚（図示していない）にも使用できることは勿論である。
【発明を実施するための最良の形態】
【０００７】
本発明に係る棚板の詳細について図を参考にして説明する。まず、図の概要を説明すると図１は本発明に係る棚板の横断面図、図2はその棚板の実施例を示した図で（ａ）がその底面図、（ｂ）は断面図、図3は本発明補強部材の斜視図、図4は今一つの実施例として示した棚板で（ａ）はその底面図、（ｂ）は断面図、図５は棚板の使用状態の一例としての陳列台を示した斜視図、図６、図７は棚板の補強構造の従来例を示したものである。
【０００８】
金属板からなる本発明に係る棚板１０は、たとえば図５に示した片持ちタイプの陳列台において、２本の支柱２０にブラケット２１を係合し、そのブラケット上に載置して使用され、あるいは、倉庫等における４本柱になる重量用保管棚に使用されるもので、棚板の奥行は２５〜６０ｃｍ程度、横幅は９０〜１８０ｃｍ程度のものである。
【０００９】
図１、図２に示す棚板１０は、先ず素材である金属板の前後の端縁をほぼ９０度ないしそれより若干大きな角度での折り曲げを２度行い第１のコの字形部２を形成し、次いで、さらに９０度の折り曲げを２回行って該棚板１０の前後縁辺に立壁３ａを形成するとともに前記の末端縁２ａの表面を天板１の裏面に対向させて第二のコの字形部３を形成したものである。また、該棚板の横方向の両側面は９０度２回折り曲げの単純なコの字形としている。なお、この図１において、一般的なＵ字形補強部材４を付設したものとしている。このＵ字形補強部材４は前後幅の広い棚板において１本ないし３本を溶接により付設するのが通例である。
【００１０】
さらに、前記棚板１０の天板裏面には後記の補強部材６の一端を係止するために複数個の突起５が前記第二のコの字形部３内側端部よりさらに内側（棚板の中心側）に位置して突設されている。図２において示した突起５は棚板１０の天板１表面より裏面に向けてほぼ三角形でその一辺を切り裂いた状態の突き破り突起であるが、その形状、構造はこれに限ることはなく、後記の補強部材の一端を係止する機能を有すればよい。
【００１１】
図３に示すものは、本発明が特徴とする補強部材６である。これは、金属板をほぼ直角同方向に２回折り曲げて前側立面６ａ，底面６ｂ，後側立面６ｃのほぼ断面U字形に形成し、さらにその一辺である後側立面６ｃの末端から外方向ほぼ９０度に折り曲げて縁辺６ｄを延設したもので、長さをこの補強部材６を棚板１０のほぼ横幅程度に裁断したものである。このＵ字形の底面６ｂの長さは前記棚板の第二のコの字形部３の奥行きとほぼ同一長さで、前側立面６ａ，後側立面６ｃ高さは棚板の第一のコの字形部２と天板１との間に形成される隙間と同一にしている。この補強部材６をこの隙間内に挿入し、その前側立面６ａを棚板１０の前後の立壁３ａ裏面に当接させ、一方の縁辺６ｄの端部を前記の係止突起５に係合させるのである。これによって補強部材６は棚板１０の前後の立壁３ａと係止突起５に挟着され、さらに、前記棚板１０の第一のコの字形２部の先端縁２ａの屈曲部弾性により強固に保持されることになる。
【実施例】
【００１２】
今１つの実施例を説明する。図４に示す棚板１０ａは、棚板の前後縁部において前記の棚板１０と異なり、棚板１０ａの前後端部を二重重ねの圧縮折り部２ｂとし、さらに９０度に２回折り曲げて正面立ち上がり部３ａを有するコの字形部３を形成したものである。すなわち、前記の実施例が第一のコの字形部分に空間があるのに対してこの実施例ではコの字形部が圧縮されていることである（二重の重ね折り部でなくても良い）。その他、天板裏面の所定位置に係止突起５が形成されていることは前記の棚板１０と同様である。この棚板１０において耐荷重性に問題がある場合にはその棚板天板１と二重重ね折り部２とで形成するコの字形３に補強部材６のＵ字形部６ａ、６ｂ、６ｃを挿入しその縁辺６ｄの端縁を前記突起５に係止することも前記と同様である（図４）。この場合、コの字形囲い部３の立ち上がり壁面３ａの内側面と突起５との間隔を補強部材６の縁辺６ｂとＵ字形曲折部外側面６ａとの距離とほぼ等しくすることが必要である。なお、前記の突起５はこれに限ることなく、たとえば、第一コの字形部の上面（天板裏面との対向面）に係止突起を設け，それと係合する穴を補強部材に穿設するなど適宜の手段を用いることが可能である。
【００１３】
この実施例における補強部材６も、前記と同様、金属板をほぼ直角に２回折り曲げて前側立面６ａ，底面６ｂ，後側立面６ｃとほぼ断面をU字形に形成し、さらにその一辺である後側立面６ｃの末端から外方向ほぼ９０度に折り曲げて縁辺６ｄを延設したもので、このＵ字形の底面６ｂの長さは前記二重重ね折り部２の長さとほぼ同じとする。この補強部材６を前記のコの字形囲い部３内に装着することによって棚板の補強とするものである。
【００１４】
このように補強部材６を棚板に形成した突起５と棚板正面の立ち上がり部３ａの裏面との間で挟持することにより取り付け、また、その係合を解くことによって離脱させ得るもので、溶接などの固着手段を講じる必要がなくなった。しかも、天板１下に装着された補強部材６はＵ字形の２つの立面６ａと６ｃが棚板に加わる荷重に対して垂直方向にあるために曲げ方向の荷重に強く、したがって該棚板の耐荷重性は大きく向上することになる。
【産業上の利用可能性】
【００１５】
図６には、片持ちのブラケット８を使用する陳列台を例示したが、このタイプのものは主としてスーパーマーケットなどで使用されているもので、これに適用できることは勿論であり，さらに、ストック用の四本柱形保管台においても使用できることになった。
【図面の簡単な説明】
【００１６】
【図１】本発明に係る棚板の中央断面図である。
【図２】図１の棚板で、（ａ）が底面図、（ｂ）がその側面図で、補強部材を装着したものと、装着していないものを示した。
【図３】補強部材を示した斜視図である。
【図４】棚板の実施態様の一例を示す斜視図である。
【図５】本発明棚板の実施態様の一例を示す斜視図である。
【図６】棚板の従来例を示した断面図である。
【図７】棚板の従来例を示した断面図である。
【符号の説明】
【００１７】
１    天板
２    第一コの字形部
３    第二コの字形部
４    補強部材
５    係止用突起
６    補強部材
１０  棚板
２０  支柱
２１  ブラケット
【図１】
2005034463.tif 000003
【図２】
2005034463.tif 000004
【図３】
2005034463.tif 000005
【図４】
2005034463.tif 000006
【図５】
2005034463.tif 000007
【図６】
2005034463.tif 000008
【図７】
2005034463.tif 000009